(57)【要約】【課題】相互にロック装置が異なる複数種の浴室建具に対し、単一のマスターキーでロック・アンロック操作を可能とする浴室建具の閉塞ロックシステムおよびこれに用いるマスターキーを提供することを課題とする。【解決手段】相互にロック装置２１，３１，４１が異なる複数種の浴室建具Ｋ，Ｌ，Ｍに対し、単一のマスターキー１によりこれらを室外側からロック・アンロック操作可能に構成した閉塞ロックシステムであって、ロック装置２１，３１，４１は、錠本体２５，３５，４５を室内側から操作可能な操作摘みと、錠本体２５，３５，４５に係脱自在に構成され、室外側から操作可能なロック解除部品とで構成され、マスターキー１は、複数種のロック装置２１，３１，４１のロック解除部品の係合部に相当する複数種の係合キー部１２，１５，１６を有している。【選択図】　図６
2004124435.tif 000002
【特許請求の範囲】
【請求項１】
相互にロック装置が異なる複数種の浴室建具に対し、単一のマスターキーによりこれらを室外側からロック・アンロック操作可能に構成した浴室建具の閉塞ロックシステムであって、
前記ロック装置は、前記浴室建具に組み込んだ錠本体と、前記錠本体を室内側からロック・アンロック操作可能な操作摘みと、前記錠本体に係脱自在に構成され、室外側からロック・アンロック操作可能なロック解除部品とで構成され、
前記マスターキーは、複数種の前記ロック装置の前記ロック解除部品の係合部に相当する複数種の係合キー部を有していることを特徴とする浴室建具の閉塞ロックシステム。
【請求項２】
複数種の前記ロック装置には、前記ロック解除部品のロック・アンロック操作がスライド操作であるものが含まれており、
前記マスターキーは、把持部とこれに連なる軸状部とから成り、
前記スライド操作用の前記係合キー部は、前記把持部に形成されていることを特徴とする請求項１に記載の浴室建具の閉塞ロックシステム。
【請求項３】
複数種の前記ロック装置には、前記ロック解除部品のロック・アンロック操作が回転操作であるものが含まれており、
前記マスターキーは、把持部とこれに連なる軸状部とから成り、
前記回転操作用の前記係合キー部は、前記軸状部に形成されていることを特徴とする請求項１に記載の浴室建具の閉塞ロックシステム。
【請求項４】
複数種の前記ロック装置には、前記操作摘みがサムターンであり且つ前記ロック解除部品の軸部の断面が大小包含関係にある複数のものが含まれており、
前記マスターキーは、把持部とこれに連なる軸状部とから成り、
複数の前記係合キー部は、複数の段付き形状の軸状部の各段に形成されていることを特徴とする請求項１に記載の浴室建具の閉塞ロックシステム。
【請求項５】
前記ロック解除部品を前記錠本体の係脱するための挿入孔を封印する封印シールを、さらに有することを特徴とする請求項１ないし４のいずれかに記載の浴室建具の閉塞ロックシステム。
【請求項６】
請求項１ないし５のいずれかに記載の浴室建具の閉塞ロックシステムに用いることを特徴とするマスターキー。
【発明の詳細な説明】
【０００１】
【発明の属する技術分野】
本発明は、相互にロック装置が異なる複数種の浴室建具に対し、単一のマスターキーによりこれらを室外側からロック・アンロック操作可能に構成した浴室建具の閉塞ロックシステムおよびこれに用いるマスターキーに関するものである。
【０００２】
【従来の技術】
従来、この種のロック装置としてサムターンを用いたものが知られている（例えば、特許文献１参照。）。このロック装置は、扉体に組み込んだ錠本体と、錠本体を室内側からロック・アンロック操作可能なサムターンと、サムターンと同軸上において室外側に設けた補助摘みと、補助摘みを介して錠本体に係脱自在に構成され、室外側からロック・アンロック操作可能なロック解除部品（この場合にはコイン）とで構成されている。
この場合、サムターンにより、室内側から錠本体をロック・アンロック操作するようになっているが、緊急時等にロックされた錠本体を室外側からロック解除する場合には、コインにより、補助摘み回転させるようにしている。
【０００３】
【特許文献１】
特開２０００−３５６０５４号公報（第３頁、図２）
【０００４】
【発明が解決しようとする課題】
ところで、竣工前の建物において、浴室の出入り口に設けた建具（浴室建具）をロックしておかないと、他の工事業者が浴室を物置として使用し、その際、浴室建具やユニットバス等を損傷することがある。そこで、浴室工事業者は、浴室工事の完了時に浴室建具をロック解除部品により室外側からロックしておき、竣工を待つようにしている。
ところが、従来の浴室建具をロックする場合に、コイン形式以外のロック装置では、専用のロック解除部品を用いる必要がある。このため、浴室工事業者は、常に複数種の浴室建具に対応して、複数種のロック解除部品を持ち歩く必要があり、ロック作業が煩雑になる問題があった。
【０００５】
本発明は、相互にロック装置が異なる複数種の浴室建具に対し、単一のマスターキーでロック・アンロック操作を可能とする浴室建具の閉塞ロックシステムおよびこれに用いるマスターキーを提供することをその課題としている。
【０００６】
【課題を解決するための手段】
本発明の浴室建具の閉塞ロックシステムは、相互にロック装置が異なる複数種の浴室建具に対し、単一のマスターキーによりこれらを室外側からロック・アンロック操作可能に構成した浴室建具の閉塞ロックシステムであって、ロック装置は、浴室建具に組み込んだ錠本体と、錠本体を室内側からロック・アンロック操作可能な操作摘みと、錠本体に係脱自在に構成され、室外側からロック・アンロック操作可能なロック解除部品とで構成され、マスターキーは、複数種のロック装置のロック解除部品の係合部に相当する複数種の係合キー部を有していることを特徴とする。
【０００７】
この構成によれば、ロック装置の錠本体は、操作摘みにより室内側からロック・アンロック操作される一方、ロック解除部品により室外側からロック・アンロック操作される。また、マスターキーを用いる場合には、ロック装置の種別に対応させてマスターキーの係合キー部を、ロック解除部品に代えて錠本体に係合させ、ロック・アンロック操作する。この場合、マスターキーは、複数種のロック装置のロック解除部品の係合部に相当する複数種の係合キー部を有しているため、単一のもので、各種のロック装置に汎用的に使用することができる。
【０００８】
この場合、複数種のロック装置には、ロック解除部品のロック・アンロック操作がスライド操作であるものが含まれており、マスターキーは、把持部とこれに連なる軸状部とから成り、スライド操作用の係合キー部は、把持部に形成されていることが、好ましい。
【０００９】
この構成によれば、係合キー部が、マスターキーの把持部に形成されているため、スライド操作において操作力を加え易く、ロック・アンロック操作を容易に行うことができる。
【００１０】
同様に、複数種のロック装置には、ロック解除部品のロック・アンロック操作が回転操作であるものが含まれており、マスターキーは、把持部とこれに連なる軸状部とから成り、回転操作用の係合キー部は、軸状部に形成されていることが、好ましい。
【００１１】
この構成によれば、係合キー部が、マスターキーの軸状部に形成されているため、回転操作において把持部を介して軸状部に操作力を加え易く、ロック・アンロック操作を容易に行うことができる。
【００１２】
また、複数種のロック装置には、操作摘みがサムターンであり且つロック解除部品の軸部の断面が大小包含関係にある複数のものが含まれており、マスターキーは、把持部とこれに連なる軸状部とから成り、複数の係合キー部は、複数の段付き形状の軸状部の各段に形成されていることが、好ましい。
【００１３】
この構成によれば、複数の係合キー部が、マスターキーの複数の段付き形状の軸状部の各段に形成されているため、軸状部の各段を利用して複数種のロック装置をロック・アンロックすることができる。
【００１４】
これらの場合、ロック解除部品を錠本体の係脱するための挿入孔を封印する封印シールを、さらに有することが好ましい。
【００１５】
この構成によれば、他人がロック装置を、室外側からロック・アンロックしてほしくない場合に、挿入孔を封印しておくことができる。また、封印シールにより、関係者以外の者に、ロック・アンロック操作を禁止する旨、を認識させることができる。なお、封印シールの表面に、ロック・アンロック操作を禁止する旨の表示を行うことが、好ましい。
【００１６】
本発明のマスターキーは、上記した浴室建具の閉塞ロックシステムに用いることを特徴とする。
【００１７】
この構成によれば、各種のロック装置のロック・アンロック操作に汎用的に使用することができる。
【００１８】
【発明の実施の形態】
以下、添付図面を参照して、本発明の一実施形態に係る浴室建具の閉塞ロックシステムについて説明する。この閉塞ロックシステムは、例えば浴室の工事完了から建物の竣工までの間に、他の工事業者が浴室に立ち入らないように浴室建具をロックする場合において、浴室建具である浴室折戸、浴室ドア、浴室引戸等のロック装置の異なる建具に対し、マスターキー（親鍵）によりこれらをロック可能とするものである。
【００１９】
以下、浴室折戸、浴室ドアおよび浴室引戸の各種のロック装置と、マスターキーとの関係を順に説明するが、理解を容易にすべくこれらの説明の前に、先ずマスターキーについて、詳細に説明する。図１の斜視図に示すように、マスターキー１は、平板状の把持部２と、把持部２から延びる角筒状の軸状部３とで一体に形成されている。
【００２０】
把持部２は、略方形の面取り形状を為し、先端側の一方の隅部にはキーホルダー用の掛け孔１１が形成され、また他方の隅部は斜めに切り欠かれ、この部分に浴室折戸Ｋをロック・アンロックする折戸用係合キー部１２が形成されている。
折戸用係合キー部１２は、後述する浴室折戸Ｋの折戸用ロック装置２１の係合突起２７に係合させるべく、二股に突出形成されている。また、把持部２には、これがマスターキー（工事用）１である旨を印刷した第１表示シール１３が貼着されている。そして、折戸用係合キー部１２の近傍に位置して第１表示シール１３には、これが折戸用である旨および挿入方向を示す矢印が印刷されている。
【００２１】
軸状部３は、把持部２から延びる断面太鼓形状の引戸用係合キー部１５と、これに連なる断面方形のドア用係合キー部１６とで、段付き形状に形成されている。基端側の引戸用係合キー部１５は、後述する浴室引戸Ｍの引戸用ロック装置４１の挿入孔４８に係合し、先端側のドア用係合キー部１６は、後述する浴室ドアＬのドア用ロック装置３１の挿入孔３８に係合する。この場合も、ドア用係合キー部１６には、これがドア用である旨および挿入方向を示す矢印を印刷した第２表示シール１７が貼着され、また引戸用係合キー部１５には、これが引戸用である旨および挿入方向を示す矢印を印刷した第３表示シール１８が貼着されている。
【００２２】
図２は浴室折戸Ｋのロック装置廻りを室外（脱衣室）側から見た斜視図であり、図３は浴室折戸Ｋに組み込んだ折戸用ロック装置の断面図である。図３に示すように、折戸用ロック装置２１は、連結縦框２２の中空部２３内に組み込まれており、ホルダ２４を介して中空部２３内に組み込んだ錠本体２５と、錠本体２５を室内（浴室Ａ）側からロック・アンロック操作可能なスライド摘み（図示省略）と、錠本体２５を挟んでスライド摘みに対峙する室外（脱衣室Ｂ）側の補助摘み２６と、補助摘み２６の係合突起２７に係脱するロック解除部品（図示省略）とで構成されている。この場合、補助摘み２６は、ロック解除部品でのみ操作可能となるように、連結縦框２２に形成した縦長方形の挿入開口（挿入孔）２８に没入するように配設されている。
【００２３】
錠本体２５は、浴室Ａ側からスライド摘みを上下方向にスライドさせることによりロック・アンロックされる一方、緊急時等において、脱衣室Ｂ側から備え付けのロック解除部品により、補助摘み２６を上下方向にスライドさせることによりロック・アンロックされる。そして、補助摘み２６に対するロック解除部品の係合部に相当する部分が、マスターキー１の折戸用係合キー部１２と同一になっている。
【００２４】
図２および図３に示すように、マスターキー１を用いて折戸用ロック装置２１をロック・アンロックする場合には、マスターキー１を前後逆に持って、折戸用ロック装置２１の補助摘み２６の係合突起２７に、マスターキーの折戸用係合キー部１２を差し込んで、補助摘み２６を上下方向にスライドさせるようにする。
より具体的には、マスターキー１により補助摘み２６の上方にスライドさせると、錠本体２５のロック片が縦枠の上レールに係止して（いずれも図示省略）浴室折戸Ｋが閉塞ロック（施錠）され、下方にスライドさせると、ロック片が上レールから引き抜かれて浴室折戸Ｋがアンロック（解錠）される。
【００２５】
上述したように、マスターキー１による折戸用ロック装置２１のロック操作は、他の工事業者の浴室Ａへの立入りを禁止すべく、浴室Ａの工事業者が、浴室Ａの工事完了時に行うものであり、後の建物の竣工時にはこのロックを解除すると共にロック解除部品を施主に手渡すようにしている。また、浴室Ａの工事完了時には、上記のロック操作の後、連結縦框２２に形成した上記の挿入開口２８を、封印シール２９で封印するようにしている（図２（ｂ）参照）。そして、図４に示すように、封印シール２９には、これの剥離を禁止する旨の印刷が為されており、他の工事業者に注意を促すようにしている。
【００２６】
なお、封止シール２９を剥がした後には、挿入開口２８を覆うと共に上記の係合突起２７に係合する操作摘み（ロック解除部品）を装着するようにする。ただし、この場合には、折戸用ロック装置２１が、子供の手が届かない高い位置にあることが前提となる。或いは、樹脂等のキャップにより挿入開口２８をキャッピングし、操作摘み（ロック解除部品）を折戸の高い位置（脱衣室側）に添設しておくか、ユーザに手渡すようにする。
【００２７】
図５は浴室ドアＬのロック装置廻りを室外（脱衣室）側から見た斜視図であり、図６は浴室ドアＬに組み込んだドア用ロック装置の断面図である。図６に示すように、ドア用ロック装置３１は、戸先縦框３２の中空部３３内に組み込まれており、ホルダ３４を介して中空部３３内に組み込んだ錠本体３５と、錠本体３５を室内（浴室Ａ）側からロック・アンロック操作可能なサムターン３６と、サムターン３６と同軸上に位置するように錠本体３５の内側に形成したシリンダ部３７と、シリンダ部３７に脱衣室Ｂ側から係脱するロック解除部品（図示省略）とで構成されている。この場合、シリンダ部３７には、戸先縦框３２の脱衣室Ｂ側に形成した円形の挿入孔３８が連通し、この挿入孔３８を介してロック解除部品が係脱する。
【００２８】
錠本体３５は、浴室Ａ側からサムターン３６を正逆回転操作することにより、ロック・アンロックされる一方、緊急時等において、脱衣室Ｂ側から備え付けのロック解除部品により、シリンダ部３７を正逆回転操作することによりロック・アンロックされる。そして、シリンダ部３７に対するロック解除部品の係合部に相当する部分が、マスターキー１のドア用係合キー部１６と同一になっている。
なお、ドア用ロック装置３１のシリンダ部３７の内部は断面方形に形成され、ドア用係合キー部１６と相補的形状を為している。
【００２９】
図５および図６に示すように、マスターキー１を用いてドア用ロック装置３１をロック・アンロックする場合には、マスターキー１の軸状部３を挿入孔３８からシリンダ部３７に挿入する。このとき、シリンダ部３７と相補的形状を為すマスターキー１のドア用係合キー部１６のみが、挿入を許容される。この状態で、マスターキー１を正逆回転操作するようにする。より具体的には、マスターキー１を右回転（正回転）させると、シリンダ部３７を介して錠本体３５のロック片が縦枠に係止して（いずれも図示省略）浴室ドアＬが閉塞ロック（施錠）され、左回転（逆回転）させると、ロック片が外れて浴室ドアＬがアンロック（解錠）される。
【００３０】
この場合も、上記と同様の目的で、マスターキー１によるドア用ロック装置３１のロック操作が行われ、またロック操作の後には、上記の挿入孔３８に封印シール３９が貼着される（図５（ｂ）参照）。なお、封印シール３９は、上記のものと全く同じものが用いられる。
【００３１】
なお、封止シール２９を剥がした後には、挿入孔３８を覆うと共に上記のシリンダ部３７に係合すると共に頭部をユリヤネジ（ノブボルト：子供には操作できないもの）としたロック解除部品を装着するようにする。また、このロック解除部品に代えて、シリンダ部３７に係合すると共にコインにより解除可能なコイン受け部材（ロック解除部品）を装着するようにする。或いは、シリンダ部３７に係合する操作摘み（ロック解除部品）を装着するようにする。ただし、この場合には、ドア用ロック装置３１が、子供の手が届かない高い位置にあることが前提となる。或いは、樹脂等のキャップにより挿入孔３８をキャッピングし、操作摘み（ロック解除部品）等を折戸の高い位置（脱衣室側）に添設しておくか、ユーザに手渡すようにする。
【００３２】
図７は浴室引戸Ｍのロック装置廻りを室外（脱衣室）側から見た斜視図であり、図８は浴室引戸Ｍに組み込んだ引戸用ロック装置の断面図である。図８に示すように、引戸用ロック装置４１は、戸先縦框４２の中空部４３内に組み込まれており、ホルダ４４を介して中空部４３内に組み込んだ錠本体４５と、錠本体４５を室内（浴室Ａ）側からロック・アンロック操作可能なサムターン４６と、サムターン４６と同軸上に位置するように錠本体４５の内側に形成したシリンダ部４７と、シリンダ部４７に脱衣室Ｂ側から係脱するロック解除部品（図示省略）とで構成されている。この場合も、シリンダ部４７には、戸先縦框４２の脱衣室Ｂ側に形成した円形の挿入孔４８が連通し、この挿入孔４８を介してロック解除部品が係脱する。
【００３３】
錠本体４５は、浴室Ａ側からサムターン４６を正逆回転操作することにより、ロック・アンロックされる一方、緊急時等において、脱衣室Ｂ側から備え付けのロック解除部品により、シリンダ部４７を正逆回転操作することによりロック・アンロックされる。そして、シリンダ部４７に対するロック解除部品の係合部に相当する部分が、マスターキーの引戸用係合キー部１５と同一なっている。なお、引戸用ロック装置４１のシリンダ部４７の内部は断面太鼓形状に形成され、引戸用係合キー部１５と相補的形状を為している。また、引戸用ロック装置４１のシリンダ部４７は、ドア用ロック装置３１のシリンダ部３７より軸方向に長く且つ一回り大きく形成されている。すなわち、両シリンダ部３７，４７は、断面が大小包含関係を為している。
【００３４】
図７および図８に示すように、マスターキー１を用いて引戸用ロック装置４１をロック・アンロックする場合には、マスターキー１の軸状部３を挿入孔４８からシリンダ部４７に挿入する。このとき、シリンダ部４７と相補的形状を為すマスターキー１の引戸用係合キー部１５が深く挿入される。この状態で、マスターキー１を正逆回転操作するようにする。より具体的には、マスターキー１を右回転（正回転）させると、シリンダ部４７を介して錠本体４５のロック片が縦枠に係止して（いずれも図示省略）浴室引戸Ｍが閉塞ロック（施錠）され、左回転（逆回転）させると、ロック片が外れて浴室引戸Ｍがアンロック（解錠）される。
【００３５】
この場合も、上記と同様の目的で、マスターキー１による引戸用ロック装置４１のロック操作が行われ、またロック操作の後には、上記の挿入孔４８に封印シール４９が貼着される（図７（ｂ）参照）。なお、封印シール４９は、上記のものと全く同じものが用いられる。
【００３６】
なおこの場合も、封止シール２９を剥がした後には、挿入孔４８を覆うと共に上記のシリンダ部４７に係合すると共に頭部をユリヤネジ（ノブボルト：子供には操作できないもの）としたロック解除部品を装着するようにする。また、このロック解除部品に代えて、シリンダ部４７に係合すると共にコインにより解除可能なコイン受け部材（ロック解除部品）を装着するようにする。或いは、シリンダ部４７に係合する操作摘み（ロック解除部品）を装着するようにする。ただし、この場合には、引戸用ロック装置４１が、子供の手が届かない高い位置にあることが前提となる。或いは、樹脂等のキャップにより挿入孔４８をキャッピングし、操作摘み（ロック解除部品）等を折戸の高い位置（脱衣室側）に添設しておくか、ユーザに手渡すようにする。
【００３７】
このような構成では、単一のマスターキー１により、それぞれ折戸用ロック装置２１、ドア用ロック装置３１および引戸用ロック装置４１をロック・アンロック操作することができる。このため、工事業者は、このマスターキー１を携帯することにより、浴室Ａの工事完了時に適宜、その建具が浴室折戸Ｋ、浴室ドアＬおよび浴室引戸Ｍのいずれであっても、これをロック・アンロックすることができる。なお、ロック解除部品がコインであるロック装置を対象とする場合には、マスターキー１の把持部２において、１つの辺（例えば図１における右辺）を円弧状に形成すればよい。
【００３８】
【発明の効果】
以上のように本発明の浴室建具の閉塞ロックシステムおよびマスターキーによれば、相互にロック装置が異なる複数種の浴室建具に対し、単一のマスターキーでロック・アンロック操作を可能となるため、マスターキーを、各種のロック装置に汎用的に、すなわち親鍵的に使用することができ、各種ロック装置専用のロック解除部品を携帯する必要がない。
【図面の簡単な説明】
【図１】本発明の一実施形態に係るマスターキーの全体斜視図である。
【図２】実施形態に係る浴室折戸の折戸用ロック装置廻りの斜視図である。
【図３】折戸用ロック装置の拡大断面図である。
【図４】封印シールの平面図である。
【図５】実施形態に係る浴室ドアのドア用ロック装置廻りの斜視図である。
【図６】ドア用ロック装置の拡大断面図である。
【図７】実施形態に係る浴室引戸の引戸用ロック装置廻りの斜視図である。
【図８】引戸用ロック装置の拡大断面図である。
【符号の説明】
１　マスターキー、２　把持部、３　軸状部、１２　折戸用係合キー部、１５引戸用係合キー部、１６　ドア用係合キー部、２１　折戸用ロック装置、２５錠本体、２６　補助摘み、２７　係合突起、２８　挿入開口、２９　封印シール、３１　ドア用ロック装置、３５　錠本体、２６　サムターン、３７　シリンダ部、３８　挿入孔、３９　封印シール、４１　引戸用ロック装置、４５　錠本体、４６　サムターン、４７　シリンダ部、４８　挿入孔、４９　封印シール、Ａ　浴室、Ｂ　脱衣室、Ｋ　浴室折戸、Ｌ　浴室ドア、Ｍ　浴室引戸
【図１】
2004124435.tif 000003
【図２】
2004124435.tif 000004
【図３】
2004124435.tif 000005
【図４】
2004124435.tif 000006
【図５】
2004124435.tif 000007
【図６】
2004124435.tif 000008
【図７】
2004124435.tif 000009
【図８】
2004124435.tif 000010